(57)【要約】【課題】接点のオンオフ操作を安定して確実に行うことができ良好な操作感を得られるスイッチ装置を提供する。【解決手段】複数の接点を有するタクティルスイッチ１０を用いるスイッチ装置１において、頂上端を有し柱状に形成され複数の方向に揺動されることが可能に形成されスイッチ本体１３より突状に突き出たステム１１とステムと一体でステム下端の周囲を囲む肩部１２とを有し複数の方向のそれぞれにステムが揺動されたときに作用する接点を複数有するタクティルスイッチ１０と、タクティルスイッチのステムの長さ方向にステムの頂上端から下端に向けてステムの長さ途中まで嵌合する穴部２３を有する嵌合部と嵌合部の穴部口元を囲む周縁部から複数の揺動方向それぞれに対応した位置にステムの長さ方向と平行に突き出て肩部と対向配置される複数の凸部２２ａ，２２ｂ，２２ｃ，２２ｄとを有するキートップ２０とを具備した。【選択図】図１
2016119160.tif 000002
【特許請求の範囲】
【請求項１】
複数の接点を有するタクティルスイッチを用いるスイッチ装置において、
頂上端を有し柱状に形成され複数の方向に揺動されることが可能に形成され、スイッチ本体より突状に突き出たステムと該ステムと一体で該ステム下端の周囲を囲む肩部とを有し複数の方向のそれぞれに上記ステムが揺動されたときに作用する接点を複数有するタクティルスイッチと、
上記タクティルスイッチの上記ステムの長さ方向に上記ステムの上記頂上端から下端に向けて上記ステムの長さ途中まで嵌合する穴部を有する嵌合部と該嵌合部の穴部口元を囲む周縁部から上記複数の揺動方向それぞれに対応した位置に上記ステムの長さ方向と平行に突き出て上記肩部と対向配置される複数の凸部とを有するキートップと、
を具備したことを特徴としたスイッチ装置。
【請求項２】
上記ステムは４つの方向に揺動可能なことを特徴とした請求項１に記載のスイッチ装置。
【請求項３】
上記ステムは上記ステムと共にスイッチ本体が実装された平面に対し、垂直な方向に押圧され移動可能であることを特徴とした請求項１又は請求項２に記載のスイッチ装置。
【発明の詳細な説明】
【技術分野】
【０００１】
この発明は、軸状操作部材を中心とする放射方向に複数の接点を有し、上記軸状操作部材を揺動させて接点のオンオフを行い得るように構成されたタクティルスイッチを用いたスイッチ装置に関するものである。
【背景技術】
【０００２】
従来、揺動可能な軸状操作部材と複数の接点を有して構成され機器内部に配設されるタクティルスイッチと、上記軸状操作部材に嵌合して同軸状操作部材を揺動させ得るように構成され機器外装に一部を露呈して配設されるキートップとからなり、当該キートップを揺動させる操作によって、上記タクティルスイッチの上記軸状操作部材を揺動させて、同タクティルスイッチの複数の接点のうちのいずれかをオンオフし得るように構成されたスイッチ装置は、例えば特開２０００−２２７９４号公報等によって種々のものが開示され、また実用化されている。
【０００３】
上記特開２０００−２２７９４号公報等によって開示されているスイッチ装置は、キートップを所定の方向に強く傾斜させる操作を行った際のスイッチ内部構造の損傷等を抑止するための構造を備えたものである。具体的には、操作された方向にあるスイッチがオンとなった直後に、キートップの下面周辺部分に設けた複数の押し込み防止用凸部のうち操作された方向の押し込み防止用凸部がスイッチ上面部分に当接することによって、当該スイッチ上面部分がキートップに加えられた余分な操作力を受けるように構成している。この構成により、軸状操作部材に対して余分な操作力が加わることがなく、よって接点のオンオフを確実に行い得ると共に、余分な操作力によってスイッチ内部構造が損傷するのを抑止している。
【先行技術文献】
【特許文献】
【０００４】
【特許文献１】特開２０００−２２７９４号公報
【発明の概要】
【発明が解決しようとする課題】
【０００５】
ところが、上記特開２０００−２２７９４号公報等によって開示されている従来構成のスイッチ装置においては、タクティルスイッチの軸状操作部材とキートップとの嵌合部分に隙間（いわゆる嵌合ガタ）が存在していると、キートップを操作しているのに関わらず軸状操作部材が作用しない場合があり、これにより操作感に悪影響を与えたり、接点のオンオフを確実に行うことができない場合がある。したがって、キートップとタクティルスイッチの軸状操作部材との部材間に形成される得る隙間（嵌合ガタ）は極力排除することが望まれている。
【０００６】
しかしながら、上記軸状操作部材や上記キートップ等の各部品には公差等が存在することから、各部品同士を嵌合した際に形成される隙間（嵌合ガタ）を完全に排除することは困難であるという問題点がある。
【０００７】
本発明は、上述した点に鑑みてなされたものであって、その目的とするところは、軸状操作部材を中心とする放射方向に複数の接点を有し、上記軸状操作部材をキートップを介して揺動させることで接点のオンオフを行い得るように構成されたタクティルスイッチを用いたスイッチ装置において、接点のオンオフ操作を安定して確実に行うことができると共に、良好な操作感を得ることのできるスイッチ装置を提供することである。
【課題を解決するための手段】
【０００８】
上記目的を達成するために、本発明の一態様のスイッチ装置は、複数の接点を有するタクティルスイッチを用いるスイッチ装置において、頂上端を有し柱状に形成され複数の方向に揺動されることが可能に形成され、スイッチ本体より突状に突き出たステムと該ステムと一体で該ステム下端の周囲を囲む肩部とを有し複数の方向のそれぞれに上記ステムが揺動されたときに作用する接点を複数有するタクティルスイッチと、上記タクティルスイッチの上記ステムの長さ方向に上記ステムの上記頂上端から下端に向けて上記ステムの長さ途中まで嵌合する穴部を有する嵌合部と該嵌合部の穴部口元を囲む周縁部から上記複数の揺動方向それぞれに対応した位置に上記ステムの長さ方向と平行に突き出て上記肩部と対向配置される複数の凸部とを有するキートップと、を具備した。
【発明の効果】
【０００９】
本発明によれば、軸状操作部材を中心とする放射方向に複数の接点を有し、上記軸状操作部材をキートップを介して揺動させることで接点のオンオフを行い得るように構成されたタクティルスイッチを用いたスイッチ装置において、接点のオンオフ操作を安定して確実に行うことができると共に、良好な操作感を得ることのできるスイッチ装置を提供することができる。
【図面の簡単な説明】
【００１０】
【図１】本発明の一実施形態のスイッチ装置を示す分解斜視図
【図２】図１のスイッチ装置におけるキートップの六面図
【図３】図２のキートップの底面側を主に示す外観斜視図
【図４】図２の符号［４］−［４］線に沿う縦断面図
【図５】図２の符号［５］−［５］線に沿う縦断面図
【図６】図１のスイッチ装置におけるタクティルスイッチの六面図
【図７】図１のスイッチ装置が通常状態を示し、図１の［７］−［７］線（図２の［４］−［４］線に相当する線）に沿う縦断面図
【図８】図１のスイッチ装置が通常状態を示し、図１の［８］−［８］線（図２の［５］−［５］線に相当する線）に沿う縦断面図
【図９】図１のスイッチ装置のキートップが揺動した状態を示し、図１の［７］−［７］線（図２の［４］−［４］線に相当する線）に沿う縦断面図
【図１０】図１のスイッチ装置のキートップが揺動した状態を示し、図１の［８］−［８］線（図２の［５］−［５］線に相当する線）に沿う縦断面図
【発明を実施するための形態】
【００１１】
以下、図示の実施の形態によって本発明を説明する。以下の説明に用いる各図面は模式的に示すものであり、各構成要素を図面上で認識可能な程度に示すために、各部材の寸法関係や縮尺等を各構成要素毎に異ならせて示している場合がある。したがって、本発明は、これら各図面に記載された構成要素の数量，構成要素の形状，構成要素の大きさの比率，各構成要素の相対的な位置関係等に関し、図示の形態のみに限定されるものではない。
【００１２】
図１は、本発明の一実施形態のスイッチ装置を示す分解斜視図である。図２〜図５は、本実施形態のスイッチ装置におけるキートップを示す図である。このうち、図２は、キートップの六面図である。ここで、符号［２Ａ］は当該キートップの上面図である。符号［２Ｂ］［２Ｃ］［２Ｄ］［２Ｅ］は当該キートップの側方四方向から見た各側面図である。符号［２Ｆ］は当該キートップの底面図である。図３は、キートップの底面側を主に示す外観斜視図である。図４は、図２の符号［４］−［４］線に沿う縦断面図である。図５は、図２の符号［５］−［５］線に沿う縦断面図である。図６は、本実施形態のスイッチ装置におけるタクティルスイッチの六面図である。このうち、符号［６Ａ］は当該タクティルスイッチの上面図である。符号［６Ｂ］［６Ｃ］［６Ｄ］［６Ｅ］は当該タクティルスイッチの側方四方向から見た各側面図である。符号［６Ｆ］は当該タクティルスイッチの底面図である。
【００１３】
また、図７〜図１０は、本実施形態のスイッチ装置の断面を示す図である。このうち、図７，図８は、当該スイッチ装置が通常状態にある際の断面を示している。このうち、図７は図１の［７］−［７］線（図２の［４］−［４］線に相当する線）に沿う当該スイッチ装置の縦断面図である。図８は図１の［８］−［８］線（図２の［５］−［５］線に相当する線）に沿う当該スイッチ装置の縦断面図である。また、図９，図１０は、当該スイッチ装置が作用している状態の断面を示している。このうち、図９は同図矢印Ｆ１方向の押圧力を受けてキートップが揺動した場合の様子を示し、図１の［７］−［７］線（図２の［４］−［４］線に相当する線）に沿う縦断面図である。図１０は、同図矢印Ｆ２方向の押圧力を受けてキートップが揺動した場合の様子を示し、図１の［８］−［８］線（図２の［５］−［５］線に相当する線）に沿うスイッチ装置の縦断面図である。
【００１４】
本実施形態のスイッチ装置１の概略構成について、主に図１〜図８を用いて以下に説明する。図１に示すように、本実施形態のスイッチ装置１は、タクティルスイッチ１０（図１，図６参照）と、キートップ２０（図１〜図５参照）とによって主に構成されている。
【００１５】
タクティルスイッチ１０は、機器内部に配設される電子基板上に実装される電子部品である。このタクティルスイッチ１０は、複数の電気接点（以下、単に接点と略記する）を内蔵するスイッチ本体１３と、このスイッチ本体１３の一面より突状に突き出た形態で突設されるステム１１と、このステム１１の下端に一体に形成される肩部１２等によって主に構成されている。
【００１６】
スイッチ本体１３は、内部に複数の電気接点（不図示）を有し、ボックス形状の筐体からなり、機器内部に設けられる電気基板上に実装配置される電子部品である。スイッチ本体１３の一面には、上記複数の電気接点に作用するステム１１及び肩部１２が配設されている（詳細後述）。上記複数の電気接点（不図示）は、上記筐体内部において、上記ステム１１を軸中心とする放射方向（図６の矢印［ａ］［ｂ］［ｃ］［ｄ］参照）の複数部位（例えば四箇所）にそれぞれ設けられていて、上記ステム１１が上記放射方向の一方向に揺動されたときに上記肩部１２が作用することによって、上記複数の接点のうちの揺動された方向に対応する一つの接点をオンオフするように構成されている。
【００１７】
ステム１１は、頂上端を有する柱状に形成された軸状部材である。本実施形態において、ステム１１は、図１等に示すように略四角柱に形成された例を示している。上記ステム１１は、下端をピボットとした支点として複数方向へ揺動可能に配設された軸状操作部材である。ステム１１の揺動方向としては、例えばステム１１の軸周りに角度略９０度間隔で４つの方向に揺動可能となっている。
【００１８】
なお、ステム１１は、揺動可能に構成される形態のほかにも、これに加えて、上記スイッチ本体１３が実装された平面に対して垂直方向に、上記ステム１１が押圧されて移動可能となるように構成される形態とすることもできる。この構成とした場合、ステム１１は、軸方向に押圧可能で、かつ軸芯から傾くように揺動可能に構成される。そして、この構成の場合には、スイッチ本体１３の内部において、ステム１１の軸方向（押圧方向）に当該ステム１１を押圧した時にオンオフされる接点を加えて設けるように構成する。つまり、この構成例の場合には、上記複数の接点は五つ設けることになる。
【００１９】
上記ステム１１の下端には、当該ステム１１の下端の周囲を囲むように配設され、ステム１１と一体となるように肩部１２が形成されている。この肩部１２は、上記ステム１１が軸方向の押圧若しくは下端をピボットとした支点とする揺動がなされたとき、ステム１１と一体に揺動することによって、上記スイッチ本体１３内の上記複数の接点のうちの一つに作用する部位となっている。
【００２０】
キートップ２０は、当該スイッチ装置１が適用される機器の外装面上に一部が露呈して配設され、使用者（ユーザ）が手指等を用いて直接操作を実行するための操作面（上面側）と、上記ステム１１と一体に嵌合する嵌合面（底面側）とを有して構成され、全体として、略円盤形状に形成される操作用部品である。
【００２１】
そのために、上記キートップ２０の上面側において、使用者（ユーザ）が手指等を触れて操作する操作面であって、機器外装に露呈される面上には、複数の操作指標が設けられている。この複数の操作指標としては、使用者（ユーザ）が手指等を触れることで認識し得る形態の複数の突起状指標（２１ａ，２１ｂ，２１ｃ，２１ｄ）と、使用者（ユーザ）が視認し得る形態の複数の識別指標（２４ａ，２４ｂ，２４ｃ，２４ｄ，２４ｅ）等がある。
【００２２】
ここで、上記複数の突起状指標（２１ａ，２１ｂ，２１ｃ，２１ｄ）は、上記スイッチ本体１３内に設けられる複数の接点（不図示）のうち上記ステム１１を揺動させたときに作用する複数の接点（不図示；例えば四つ）に対応させて、その位置及び数が設定されている。つまり、ステム１１の揺動に対応する複数（四つ）の接点に対応させて、複数の突起状指標も四つ設けられる。
【００２３】
また、上記複数の識別指標（２４ａ，２４ｂ，２４ｃ，２４ｄ，２４ｅ）は、上記複数の突起状指標と同様にステム１１の揺動によって作用する複数の接点（不図示；四つ）に加えて、同ステム１１を軸方向に押圧移動させたときに作用する接点（不図示；一つ）にも対応させて設けられている。そして、当該複数の識別指標は、文字や記号等を用いることによって、対応する接点（全部で５つ）を作用させたときに機能する各種の機能を表す表示としている。
【００２４】
ここで、上記複数の識別標識について、図１等に示す表示例を具体的に説明する。即ち、複数の識別指標のうち、識別指標２４ａ，２４ｂ，２４ｃ，２４ｄは、ステム１１を揺動させたときに作用する複数（四つ）の接点に対応する。このうち、識別指標２４ａ，２４ｂは、例えば機器のボリュームの増減機能に対応している。詳しくは、識別指標２４ａはボリューム増を表す「＋」（プラス）表示としている。また、識別指標２４ｂはボリューム減を表す「−」（マイナス）表示としている。一方、識別指標２４ｃ，２４ｄは、例えば機器の再生方向の指示機能に対応している。詳しくは、識別指標２４ｃは戻る方向を表す記号「△」等（具体的には図面参照）を表示している。また、識別指標２４ｄは進む方向を表す記号「△」等（具体的には図面参照）を表示している。このように、これらの四つの識別指標２４ａ，２４ｂ，２４ｃ，２４ｄは、ステム１１の四つの方向への揺動に対応させて表示するようにしたものである。
【００２５】
他方、識別指標２４ｅは、機器の状態の決定等を行うための指示機能を表示する文字列「ＯＫ」等を表示している。この識別指標２４ｅは、ステム１１の押圧移動によって作用する接点に対応させたものである。
【００２６】
上記キートップ２０の底面側には、図２の［２Ｆ］及び図３等に示すように、略中央部分に形成された嵌合穴部２３と、この嵌合穴部２３の穴部口元を囲む周縁部に形成された複数の凸部である底面凸部（２２ａ，２２ｂ，２２ｃ，２２ｄ）とが設けられている。
【００２７】
上記嵌合穴部２３は、上記ステム１１の頂上端を含む部分に嵌合して、当該キートップ２０と上記ステム１１とを一体化すると共に、上記ステム１１を軸方向への押圧移動及び下端をピボットとした支点として揺動を行い得るように支持するための嵌合部である。この場合において、上記嵌合穴部２３は、ステム１１の長さ方向に該ステム１１の頂上端から下端に向けてステム１１の軸長さ途中までの所定の領域に嵌合するように形成されている。なお、上記ステム１１は、キートップ２０の嵌合穴部２３に対し圧入により嵌合配置されている。
【００２８】
なお、嵌合穴部２３の各内壁面には、ステム１１が当該嵌合穴部２３内に嵌合した時に当該ステム１１との間に生じる嵌合隙間を埋める突設面２３ａが形成されている。この構成によって、本実施形態のスイッチ装置１においては、タクティルスイッチ１０とキートップ２０とを嵌合する嵌合部は、ステム１１を嵌合穴部２３に嵌合させたときの嵌合ガタができる限り少なくなるように形成されている。
【００２９】
また、上記複数の底面凸部（２２ａ，２２ｂ，２２ｃ，２２ｄ）は、上記嵌合穴部２３の穴部口元を囲む周縁部から上記ステム１１の複数の揺動方向それぞれに対応した位置において、ステム１１の長さ方向（軸方向）に平行な方向に底面側に向けて突出して形成されており、上記肩部１２に対向配置された突状部位である。
【００３０】
ここで、タクティルスイッチ１０とキートップ２０とを嵌合させてスイッチ装置１として組み立てた状態としたとき、図７，図８に示すように、上記ステム１１と嵌合穴部２３とは嵌合状態となる。この時、上記複数の底面凸部（２２ａ，２２ｂ，２２ｃ，２２ｄ）は、上記肩部１２に対向する位置に配置されており、かつ両者間には若干の隙間（図７，図８の符号Ｇ参照）が生じるように設定されている。なお、上記複数の底面凸部（２２ａ，２２ｂ，２２ｃ，２２ｄ）は、例えば図６の［６Ａ］に示す符号１２ａ，１２ｂ，１２ｃ，１２ｄで示される肩部１２上の複数領域のそれぞれに対向配置されるように設定されている。
【００３１】
つまり、本実施形態のスイッチ装置１においては、キートップ２０の外周縁部に形成された複数の突起状指標（２１ａ，２１ｂ，２１ｃ，２１ｄ）のうちの符号２１ａの突起状指標と、その近傍の識別指標２４ａは、上記複数の底面凸部（２２ａ，２２ｂ，２２ｃ，２２ｄ）のうち符号２２ａの底面凸部と、これに対向する肩部１２の一領域１２ａに対応するように構成される。
【００３２】
同様に、キートップ２０の突起状指標２１ｂと、その近傍の識別指標２４ｂは、底面凸部２２ｂと、これに対向する肩部１２の一領域１２ｂに対応するように構成される。また、キートップ２０の突起状指標２１ｃと、その近傍の識別指標２４ｃは、底面凸部２２ｃと、これに対向する肩部１２の一領域１２ｃに対応するように構成される。そして、キートップ２０の突起状指標２１ｄと、その近傍の識別指標２４ｄは、底面凸部２２ｄと、これに対向する肩部１２の一領域１２ｄに対応するように構成される。
【００３３】
なお、図７，図８に示す状態は、スイッチ装置１を組み立てた状態であって、キートップ２０に対する押圧力などが加わっていない無負荷状態、即ち通常状態を示しているものとする。この状態においては、ステム１１は、上記スイッチ本体１３が実装された平面に対して垂直に立設されており、このステム１１に対してキートップ２０が嵌合している。したがって、この状態において、キートップ２０の底面を含む一平面は、上記平面（スイッチ本体１３の実装面）と略平行に配置されている状態にある。つまり、キートップ２０は、上記平面に対し（スイッチ本体１３の実装面）傾斜した状態になく、複数の底面凸部（２２ａ，２２ｂ，２２ｃ，２２ｄ）と肩部１２の対応する各領域（１２ａ，２ｂ，１２ｃ，１２ｄ）との各隙間Ｇは、所定の間隔が保持されているものとする。
【００３４】
このような構成によって、本実施形態のスイッチ装置１は、上記ステム１１（軸状操作部材）を覆うキートップ２０の操作面における所定の部位（複数の識別指標のうち符号２４ａ，２４ｂ，２４ｃ，２４ｄが設けられた部位）を押圧して、ステム１１を軸中心としてキートップ２０を傾斜させる操作を行うと、これに応じて上記ステム１１（軸状操作部材）が下端をピボットとした支点として揺動する。これにより、上記キートップ２０の底面側の複数の底面凸部（２２ａ，２２ｂ，２２ｃ，２２ｄ）のうち、上記キートップ２０の操作面の押圧された部位に対応する一つが、これに対向する上記肩部１２上の一領域（１２ａ，１２ｂ，１２ｃ，１２ｄ）に当接し、これを押圧する。したがってこれにより、上記肩部１２は、上記スイッチ本体１３内の上記複数の接点のうち対応する一つの接点に作用してオン状態に切り換わる。
【００３５】
具体的には例えば、図９に示すように、キートップ２０の操作面において突起状指標２１ｃ近傍の識別指標２４ｃを、矢印Ｆ１方向に押圧したとする。すると、キートップ２０は、同図９に示すように、ステム１１を軸中心として傾斜する。これにより、ステム１１が下端をピボットとした支点として揺動すると同時に、キートップ２０の底面凸部２２ｃが肩部１２の一領域１２ｃに当接し、これを押圧する。この押圧力によって、スイッチ本体１３内の対応する接点（不図示）がオン状態になる。なお、矢印Ｆ１方向の押圧力を解除することにより、キートップ２０及びステム１１は、図７等に示す通常状態に復帰する。この通常状態への復帰により、オン状態にあった接点はオフ状態に切り換わる。
【００３６】
また、例えば、図１０に示すように、キートップ２０の操作面において突起状指標２１ａ近傍の識別指標２４ａを、矢印Ｆ２方向に押圧したとする。すると、キートップ２０は、同図１０に示すように、ステム１１を軸中心として傾斜する。これにより、ステム１１が下端をピボットとした支点として揺動すると同時に、キートップ２０の底面凸部２２ａが肩部１２の一領域１２ａに当接し、これを押圧する。この押圧力によって、スイッチ本体１３内の対応する接点（不図示）がオン状態になる。なお、矢印Ｆ２方向の押圧力を解除することにより、キートップ２０及びステム１１は、図８等に示す通常状態に復帰する。この通常状態への復帰により、オン状態にあった接点はオフ状態に切り換わる。
【００３７】
なお、本実施形態のスイッチ装置１を操作するのに際しては、使用者（ユーザ）は、上述したように、キートップ２０の操作面上の所定の部位（複数の識別指標のうち符号２４ａ，２４ｂ，２４ｃ，２４ｄが設けられた部位）を押圧操作する。この場合、所望する部位に対応する識別指標から離れた部位を押圧操作しても、接点をオン状態とする操作を行い得るが、操作はできるだけ所望の識別指標の近傍領域を操作するのが望ましい。
【００３８】
しかしながら、使用者（ユーザ）は、機器の使用中においてキートップ２０の操作面を常に視認しながら操作するとは限らず、場合によっては操作面を視認すること無く手探り状態でキートップ２０の押圧操作を行うといった状況も考えられる。そのような操作を補助するために、本実施形態のスイッチ装置１においては、キートップ２０の操作面上に突起状指標（２１ａ，２１ｂ，２１ｃ，２１ｄ）等を設けている。
【００３９】
ところで、このような操作（例えば手探り操作等）を行う場合には、キートップ２０の操作面上において、例えば複数の識別指標のうち隣接した二つの識別指標の中間領域が押圧操作されることもあり得る。この場合においても、ステム１１を軸中心としてキートップ２０が押圧された方向に傾斜し、ステム１１（軸状操作部材）が下端をピボットとした支点として揺動する。このとき、押圧操作がなされた部位が、タクティルスイッチ１０の接点の配置されている部位から離間した部位にあると、キートップ２０の底面が肩部１２を介して対応する接点をオン状態に切り換えるために長いストロークが必要になる。したがって、このような場合において、例えばステム１１とキートップ２０との間に嵌合ガタ等が存在していると、揺動のストロークが不足して接点をオン状態に切り換えることができない場合もあり得る。
【００４０】
そこで、本実施形態のスイッチ装置１においては、キートップ２０の底面側に、上記底面凸部（２２ａ，２２ｂ，２２ｃ，２２ｄ）を設けることによって、押圧操作されるべき部位が正確に押圧されなかったような場合にも、使用者（ユーザ）が意図した操作部位に対応した接点を確実にオン状態とすることができるように構成している。
【００４１】
ここで、使用者（ユーザ）がキートップ２０の操作面を操作する場合における隣接する二つの識別指標の中間領域とは、具体的には例えば、図２において符号２４ａと符号２４ｃとの間の領域，符号２４ａと符号２４ｄとの間の領域等を指す。詳しくは、押圧操作される際の図２における符号２４ａと符号２４ｃとの中間領域とは、二点鎖線で示す直線［ｅ］近傍領域であって、キートップ２０の外周縁部近傍を指す。また、同様に押圧操作される際の図２において符号２４ａと符号２４ｄとの中間領域とは、二点鎖線で示す直線［ｆ］近傍領域であって、キートップ２０の外周縁部近傍を指す。なお、上記図２のキートップ２０において二点鎖線で示す直線［ｅ］，［ｆ］は、図６に示すタクティルスイッチ１０おいて二点鎖線で示す直線［ｅ］，［ｆ］に対応しており、同じ位置を示しているものとする。
【００４２】
この場合において、例えば、使用者（ユーザ）が図２の二点鎖線で示す直線［ｅ］近傍領域で、かつキートップ２０の外周縁部近傍の部位を押圧操作したものとする。具体的には例えばキートップ２０の操作面上において隣接する二つの識別指標２４ａと識別指標２４ｃとの中間領域において、一方の識別指標２４ａ寄りの部位を押圧操作したものとする。すると、この場合にもキートップ２０は、ステム１１を軸中心として傾斜し、これに応じてステム１１は下端をピボットとした支点として揺動する。
【００４３】
このとき、押圧操作された部位（当該例示では一方の識別指標２４ａ寄りの部位）に対応する底面凸部２２ａが対向する肩部１２上の一領域１２ａ近傍に真っ先に当接して、これを押圧し、所望の接点が確実にオン状態になる。したがって、キートップ２０の操作面上において、所望の操作に対応する識別指標近傍部位が正確に押圧操作されなかった場合であっても、使用者（ユーザ）が所望する操作に対応する接点を確実にオン状態に切り換えることができる。
【００４４】
また、キートップ２０の嵌合穴部２３にステム１１を嵌合させるとき、本実施形態では圧入嵌合を行うことにしたが、ステム１１の軸形状寸法及びキートップ２０の嵌合穴部２３の寸法には必ず量産時のばらつきが存在するため、必ずしも狙いの圧入精度が出せず、嵌合ガタを発生させる場合もある。そのため、キートップ２０の嵌合穴部２３の口元が単純な平面となっていて、上記スイッチ１０の肩部１２から浮いていたり、あるいは肩部１２から離れていなくとも、最悪の場合、その嵌合ガタのために、上記直線［ｅ］，［ｆ］上近傍方向にステム１１が揺動されたときには、所望の接点を確実にオン状態にできない、あるいは意図しない接点をオン状態にしてしまうということも発生させてしまうこともある。しかし、上述した、本実施形態による構成、即ちキートップ２０の嵌合穴部２３の口元を囲う周縁部において、各スイッチ接点それぞれに対応する部分に突起（複数の底面凸部）を設けておけば、確実に狙いの接点をオン状態に切り換えることができる。
【００４５】
以上説明したように上記一実施形態によれば、ステム１１とキートップ２０との嵌合部に嵌合ガタが生じていたとしても、キートップ２０の底面凸部（２２ａ，２２ｂ，２２ｃ，２２ｄ）が直接、肩部１２の対応領域（１２ａ，１２ｂ，１２ｃ，１２ｄ）を押圧するように構成したので、接点をオン状態に切り換える操作を、常に確実かつ安定して行うことができると共に、良好な操作感を得ることができる。
【００４６】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。
【符号の説明】
【００４７】
１……スイッチ装置，
１０……タクティルスイッチ，
１１……ステム，
１２……肩部，
１２ａ，１２ｂ，１２ｃ，１２ｄ……一領域，
１３……スイッチ本体，
２０……キートップ，
２１ａ，２１ｂ，２１ｃ，２１ｄ……突起状指標，
２２ａ，２２ｂ，２２ｃ，２２ｄ……底面凸部，
２３……嵌合穴部，
２３ａ……突設面，
２４ａ，２４ｂ，２４ｃ，２４ｄ，２４ｅ……識別指標，
【図１】
2016119160.tif 000003
【図２】
2016119160.tif 000004
【図３】
2016119160.tif 000005
【図４】
2016119160.tif 000006
【図５】
2016119160.tif 000007
【図６】
2016119160.tif 000008
【図７】
2016119160.tif 000009
【図８】
2016119160.tif 000010
【図９】
2016119160.tif 000011
【図１０】
2016119160.tif 000012